(57)【要約】【課題】ユーザの使い勝手を悪化させずに視聴制限を行い、ユーザの気分を害してしまうことを防止した放送受信装置を提供する。【解決手段】制御部２は、EPGデータメモリ１４に記憶されているEPGデータを参照し、選択されたチャンネルで放送されている番組に対応するEPGデータの中に、記憶部１５に記憶されている単語が含まれているかどうかを判定する。例えば、現在時刻が１６：００であって１CHが選択された場合、図３の番組名と出演者が図２の番組ACの中に含まれているため、判定肯定となる。読出した単語が含まれていると判定すれば、制御部２は、D／A変換部８のミュート機能をオンする。これにより、表示部３２の表示画面は、ブルーバック又はブラックバックとなる。また、スピーカー３１から出力されていた音声は、消音する。これにより、ユーザが視聴したくない番組を誤って視聴してしまうことを防止する。【選択図】  図３
2008099083.tif 000002
【特許請求の範囲】
【請求項１】
テレビ放送信号を受信し、チャンネルが選択されると、前記選択されたチャンネルのテレビ放送信号を抽出し、前記抽出したテレビ放送信号を処理して前記チャンネルで放送されている番組の映像と音声を出力する映像音声出力手段と、
各チャンネルで放送されている番組の属性を示す番組情報を取得し、その番組情報から電子番組表を作成する取得手段と、を備える放送受信装置において、
前記単語の入力を受付ける単語入力手段と、
視聴を制限する番組に含まれる単語を記憶する記憶手段と、
前記単語入力手段において入力された前記単語を前記記憶手段に記録する記録手段と、を備え、
前記映像音声出力手段は、
（１）前記チャンネルが選択されると、そのチャンネルで放送されている番組の映像と音声の出力を開始した後、そのチャンネルで放送されている番組に対応する前記番組情報の中に、前記記憶手段が記憶する前記単語が含まれているかどうかを判定する判定手段と、
（２）前記記憶手段が記憶する前記単語が含まれていると前記判定手段が判定すると、前記映像又は／及び前記音声をミュートするミュート手段と、
（３）所望のOSD画像を表示するOSD表示機能と、を有し、
（４）前記OSD画像において、前記選択されたチャンネルに前記単語が含まれている旨を表示する放送受信装置。
【請求項２】
テレビ放送信号を受信し、チャンネルが選択されると、前記選択されたチャンネルのテレビ放送信号を抽出し、前記抽出したテレビ放送信号を処理して前記チャンネルで放送されている番組の映像と音声を出力する映像音声出力手段と、
各チャンネルで放送されている番組の属性を示す番組情報を取得し、その番組情報から電子番組表を作成する取得手段と、を備える放送受信装置において、
視聴を制限する番組に含まれる単語を予め記憶する記憶手段を備え、
前記映像音声出力手段は、
前記チャンネルが選択されると、そのチャンネルで放送されている番組の映像と音声の出力を開始した後、そのチャンネルで放送されている番組に対応する前記番組情報の中に、前記記憶手段が記憶する前記単語が含まれているかどうかを判定する判定手段と、
前記記憶手段が記憶する前記単語が含まれていると前記判定手段が判定すると、前記映像又は／及び前記音声をミュートするミュート手段と、を有する放送受信装置。
【請求項３】
前記単語の入力を受付ける単語入力手段と、
前記単語入力手段において入力された前記単語を前記記憶手段に記録する記録手段と、を備える請求項２に記載の放送受信装置。
【請求項４】
前記映像音声出力手段は、
所望のOSD画像を表示するOSD表示機能を有し、
前記OSD画像において、前記選択されたチャンネルに前記単語が含まれている旨を表示する請求項２又は３に記載の放送受信装置。
【発明の詳細な説明】
【技術分野】
【０００１】
本発明は、テレビ放送信号から番組を選局して再生する放送受信装置に関し、ユーザが視聴する番組を制限する放送受信装置に関するものである。
【背景技術】
【０００２】
現行のディジタル放送において、放送局は、番組の他に、各チャンネルで放送されている番組の属性（番組名、出演者等）を示す番組情報を放送している。詳述すると、放送局は、番組情報として、数時間先の番組内容や、チャンネル内容等を送出する。受信側の放送受信装置は、放送局側から伝送されてきた該番組情報を受信する。そして、放送受信装置は、該番組情報から電子番組表を作成し、画面上でその電子番組表をユーザに提供している。電子番組表は、例えばEPG（Electronic Program Guide）である。
【０００３】
そこで、この電子番組表を利用することによってユーザの嗜好に応じた番組を提示する放送受信装置が提案されている（特許文献１参照）。詳述すると、この放送受信装置は、ユーザの嗜好情報を記憶する記憶部を備える。そして、この放送受信装置は、番組情報からユーザの嗜好に応じた番組を、その嗜好情報をキーにして検索し、その検索された番組のリストを推薦番組として表示する。
なお、チャンネルが選択されると、視聴の可否を予め登録された視聴可否情報に基づいて判断し、視聴可と判断した場合のみ、映像と音声を出力する視聴制限装置も提案されている（特許文献２参照）。
【特許文献１】特開２００５−２９５５８５公報
【特許文献２】特開２００６−１６６２６３公報
【発明の開示】
【発明が解決しようとする課題】
【０００４】
しかしながら、放送される番組の中には、ユーザが嫌いな出演者が出演している番組やユーザが嫌いな番組も存在する。特許文献１では、ユーザの嗜好に応じた番組を提示しているが、チャンネルを選択した時、ユーザは視聴したくない番組を誤って視聴してしまうことがある。
そのため、特許文献１では、ユーザの気分を害してしまうという問題があった。
【０００５】
また、特許文献２では、視聴の可否の判断に多くの時間を要してしまう。そのため、チャンネルを選択しても判断結果が出るまで何も出力されず、その間ユーザは待たされてしまう。従って、特許文献２で提案されている装置は、視聴制限によりユーザの使い勝手を悪くしていた。
【０００６】
本発明はこのような従来の課題を解決しようとするものであり、ユーザの使い勝手を悪化させずに視聴制限を行い、ユーザの気分を害してしまうことを防止した放送受信装置を提供することを目的とする。
【課題を解決するための手段】
【０００７】
本発明の放送受信装置は、前記課題を解決するために以下の構成を備えている。
【０００８】
（１）テレビ放送信号を受信し、チャンネルが選択されると、前記選択されたチャンネルのテレビ放送信号を抽出し、前記抽出したテレビ放送信号を処理して前記チャンネルで放送されている番組の映像と音声を出力する映像音声出力手段と、
各チャンネルで放送されている番組の属性を示す番組情報を取得し、その番組情報から電子番組表を作成する取得手段と、を備える放送受信装置において、
視聴を制限する番組に含まれる単語を予め記憶する記憶手段を備え、
前記映像音声出力手段は、
前記チャンネルが選択されると、そのチャンネルで放送されている番組の映像と音声の出力を開始した後、そのチャンネルで放送されている番組に対応する前記番組情報の中に、前記記憶手段が記憶する前記単語が含まれているかどうかを判定する判定手段と、
前記記憶手段が記憶する前記単語が含まれていると前記判定手段が判定すると、前記映像又は／及び前記音声をミュートするミュート手段と、を有する。
【０００９】
まず、視聴を制限する番組に含まれる単語が入力される第１の場面と、チャンネルが選択される第２の場面と、に分かれる。
この構成では、第２の場面を想定している。
この構成において、放送受信装置は、例えばケーブルテレビ、又はディジタルテレビジョンである。また、放送局は、番組の他に、各チャンネルで放送されている番組の属性（番組名、出演者等）を示す番組情報を放送しているものとする。そして、放送受信装置は、該番組情報から電子番組表を作成し、画面上でその電子番組表をユーザに提供する。電子番組表は、例えばEPG（Electronic Program Guide）である。また、映像音声出力手段は、映像を表示する表示画面と、音声を発するスピーカと、を有する。
この構成においては、チャンネルが選択されると、映像音声出力手段は、チャンネルを切り替える。そして、記憶手段が記憶する単語が含まれていると判定手段が判定した場合のみ、ミュート手段がミュートする。ここで、判定手段は、選択されたチャンネルで放送されている番組は視聴が制限されている番組であると判定している。
そして、ミュート手段がミュートすると、映像音声出力手段の表示画面は、ブルーバック又はブラックバックとなる。また、映像音声出力手段から出力されていた音声は、消音する。即ち、ユーザが嫌いな出演者が出演している番組やユーザが嫌いな番組は、ミュートされる。これにより、ユーザが視聴したくない番組を誤って視聴してしまうことを防止する。
従って、ユーザの気分を害してしまうことを防止できる。また、チャンネルが選択されると同時にチャンネルを切り替えているため、視聴制限を行うことによってユーザの使い勝手を悪化させることもない。
【００１０】
（２）前記単語の入力を受付ける単語入力手段と、
前記単語入力手段において入力された前記単語を前記記憶手段に記録する記録手段と、を備える。
【００１１】
この構成では、第１の場面を想定している。上記記録手段によって記憶手段に記録された上記の単語は、上記（１）の第２の場面において使用される。
【００１２】
（３）前記映像音声出力手段は、
所望のOSD画像を表示するOSD表示機能を有し、
前記OSD画像において、前記選択されたチャンネルに前記単語が含まれている旨を表示する。
【００１３】
この構成において、選択されたチャンネルに単語が含まれている旨のOSD表示は、例えば「選択されたチャンネルで放送されている番組に、あなたが登録した単語が含まれていたため、映像と音声をミュートしました。」である。
ここで、急に番組がミュートされると、ユーザは、放送受信装置が故障しているのではないかと誤解するおそれがある。
そこで、選択されたチャンネルに単語が含まれている旨のメッセージをOSD表示している。
これにより、ユーザは、映像と音声がミュートされた理由を認識する。従って、放送受信装置が故障しているのではないかとユーザに誤解させてしまうことを防止できる。
なお、上記（１）から（３）の構成に以下の構成を追加しても構わない。
前記ミュートを解除するか否かの選択を受け付ける選択手段を、さらに備え、前記映像音声出力手段は、前記選択手段における前記選択に応じて動作する。
【発明の効果】
【００１４】
この発明によれば、ユーザの気分を害してしまうことを防止できる。また、チャンネルが選択されると同時にチャンネルを切り替えているため、視聴制限を行うことによってユーザの使い勝手を悪化させることもない。
【発明を実施するための最良の形態】
【００１５】
以下、本発明の実施形態である放送受信装置について説明する。
【００１６】
図１は、本発明の実施形態であるディジタルテレビジョンの主要な構成を示すブロック図である。ディジタルテレビジョン（TV）１０１は、装置の各部の動作を制御する制御部２と、選択されたチャンネル（以下、CHと称する）のテレビ放送信号を抽出するチューナ３と、抽出したテレビ放送信号をディジタルデータに復調する復調部４と、復調したディジタルデータから映像データと音声データとを分離し、両データを伸長するデコーダ５と、所望のＯＳＤ（On  Screen  Display）と映像データに基づく映像とを合成する画像合成部６と、映像データと音声データとの信号をアナログの信号に変換するD／A変換部８と、ユーザの操作を受付ける操作部１１と、EPGデータを記憶するEPGデータメモリ１４と、制御プログラムを記憶する記憶部１５と、映像を表示する表示部３２と、音声を装置外部に発生するスピーカ３１と、を備える。
なお、この実施形態では、放送局は、番組の他に、各チャンネルで放送されている番組の属性（番組名、出演者等）を示す番組情報を放送しているものとする。
【００１７】
記憶部１５は、例えばEEPROMで構成される。
【００１８】
制御部２は、例えばマイクロコンピュータで構成される。制御部２は、上記制御プログラムにより処理されるデータ等を展開するためのワークフィールドとしてのRAM（不図示）と、現在時刻を計時する計時部（不図示）と、を内蔵する。この現在時刻は、後述の図４のS３で用いるためのものである。
【００１９】
操作部１１に対し、EPGの表示、電源のON／OFF、チャンネルの選択、音量の調整等の命令（コマンド）が入力されると、操作部１１は、該命令を制御部２に伝送する。ここで、操作部１１は、所望の番組のチャンネルを選択するチャンネル選択キーを有している。また、操作部１１は、リモコン装置を含む。
【００２０】
チューナ３は、アンテナ３０で受信しているテレビ放送信号から、制御部２により選択されているチャンネルのテレビ放送信号を抽出し、出力する。
復調部４は、チューナ３から出力されたテレビ放送信号をディジタルデータであるトランスポートストリームに復調し、出力する。
【００２１】
デコーダ５は、復調部４から出力されたトランスポートストリームから、映像データと音声データとEPGデータとを分離抽出する。ここで、分離抽出された映像データは、例えばMPEGでエンコードされている。そして、デコーダ５は、映像データをデコードし、出力する。出力された映像データは、画像合成部６を介して、D／A変換部８に入力される。また、デコーダ５は、音声データをデコードし、D／A変換部８に出力する。
【００２２】
画像合成部６は、不図示の画像メモリを内蔵する。画像合成部６は、制御部２から与えられる制御信号に基づいて、映像データに基づく映像と、画像メモリが記憶している文字又は図形と、を合成する。画像合成部６は、その合成された合成データをD／A変換部８に出力する。
【００２３】
D／A変換部８は、デコーダ５が出力した映像データの信号をアナログの再生映像信号に変換し、表示部３２に出力する。表示部３２は、例えばLCD（Liquid Crystal Display）である。また、D／A変換部８は、デコーダ５が出力した音声データの信号をアナログの再生音声信号に変換し、スピーカ３１に出力する。
ユーザは、表示部３２およびスピーカ３１において、D／A変換部８から出力された映像信号に基づく映像と音声信号に基づく音声とを視聴することができる。
【００２４】
また、D／A変換部８は、表示部３２に出力する再生映像信号と、スピーカ３１に出力する再生音声信号と、をミュートするミュート機能を有する。
【００２５】
ここで、制御部２、チューナ３、復調部４、デコーダ５、画像合成部６、D／A変換部８、スピーカ３１、及び表示部３２が、本発明の「映像音声出力手段」に相当する。デコーダ５、制御部２が、本発明の「判定手段」に相当する。制御部２が、本発明の「取得手段」に相当する。D／A変換部８が、本発明の「ミュート手段」に相当する。記憶部１５が、本発明「記憶手段」に相当する。
【００２６】
一方、デコーダ５は、上記で分離抽出されたEPGデータを制御部２に出力する。EPGデータには、各チャンネルで放送されている番組の属性（番組名、出演者等）が記述されている。
ここで、EPGデータが、本発明の「番組情報」に相当する。
【００２７】
制御部２は、デコーダ５から出力されたEPGデータをEPGデータメモリ１４に記録する。EPGデータメモリ１４は、例えばEEPROMで構成される。そして、制御部２は、EPGの表示が指示された時、EPGデータメモリ１４に記憶されているEPGデータを読出し、画像合成部６に出力する。
【００２８】
画像合成部６は、EPGデータを画像データに変換する。そして、画像合成部６は、その画像データを単独で、D／A変換部８に出力する。又は、画像合成部６は、その画像データに基づく画像をデコーダ５から出力された映像データに基づく映像に合成して、合成データを形成する。そして、画像合成部６は、その合成データをD／A変換部８に出力する。
これにより、表示部３２において、例えば図２に示すようなEPGの画像が表示される。
【００２９】
図２は、EPG画面の表示例を示す図である。近年、放送が多チャンネル化することによって、番組の内容も多種多様化しているが、ユーザは、このEPGを利用することによって、選局を簡単に行うことができる。
【００３０】
ここで、放送される番組の中には、ユーザが嫌いな出演者が出演している番組やユーザが嫌いな番組も存在する。
【００３１】
そこで、この実施形態では、以下のように構成している。
【００３２】
視聴を制限する番組に含まれる単語が入力される第１の場面と、チャンネルが選択される第２の場面と、に分けて説明する。まず、単語が入力される第１の場面について説明する。
【００３３】
操作部１１は、視聴を制限する番組に含まれる単語の入力を受付ける視聴制限単語入力キー（不図示）を有する。
この実施形態において、単語は、番組名、又は出演者名とする。
【００３４】
ユーザは、視聴制限単語入力キーによって、単語を入力する。単語が入力されると、制御部２は、その単語を記憶部１５に記録する。
【００３５】
ここで、視聴制限単語入力キーが、本発明の「単語入力手段」に相当する。また、制御部２が、本発明の「記録手段」に相当する。
【００３６】
図３は、記憶部１５に記憶されている内容を示す図である。記憶部１５には、視聴制限を行う番組に含まれる単語を複数設定することができる。そして、記憶部１５には、番組名、出演者名などのパラメータを単語として登録することができる。
【００３７】
図３に示すように、番組名のフィールド（欄）には、視聴制限を行う番組の番組名が格納されている。また、出演者名のフィールドには、視聴制限を行う番組の出演者名が格納されている。
【００３８】
次に、チャンネルが選択される第２の場面について説明する。
【００３９】
図４は、本発明の実施形態であるディジタルテレビジョンにおいてチャンネルが選択された時に制御部が行う動作を示すフローチャートである。
チャンネルが選択されると、制御部２は、該選択されたチャンネルのテレビ放送信号を抽出するようチューナ３及び復調部４に指示する（S1）。これにより、チャンネルが切り替わる。即ち、そのチャンネルで放送されている番組の映像と音声の出力が、表示部３２やスピーカ３１において開始される。
なお、物理チャンネルと仮想チャンネルがある場合、制御部２は、物理チャンネルをチューナ３及び復調部４に指示し、仮想チャンネルをデコーダ５に指示する。
【００４０】
次に、制御部２は、記憶部１５に記憶されている単語を読出す（S2）。
【００４１】
そして、制御部２は、EPGデータメモリ１４に記憶されているEPGデータを参照し、選択されたチャンネルで放送されている番組に対応するEPGデータの中に、読出した単語が含まれているかどうかを判定する（S3）。S3について、図２及び図３を用いて説明する。例えば、現在時刻が１６：００であって１CHが選択された場合、図３の番組名と出演者が図２の番組ACの中に含まれているため、判定肯定となる。また、現在時刻が２０：００であって１CHが選択された場合、図３の出演者が図２の番組ADの中に含まれているため、判定肯定となる。また、現在時刻が１６：００であって２CHが選択された場合、図３の番組名及び出演者が図２の番組BCの中に含まれていないため、判定否定となる。
【００４２】
読出した単語が含まれていないと判定すれば、制御部２は、本処理を終了する。
【００４３】
一方、読出した単語が含まれていると判定すれば、制御部２は、D／A変換部８のミュート機能をオンする（S４）。即ち、制御部２は、映像と音声をミュートするようD／A変換部８に指示する（S４）。これにより、表示部３２の表示画面は、ブルーバック又はブラックバックとなる。また、スピーカー３１から出力されていた音声は、消音する。即ち、ユーザが嫌いな出演者が出演している番組やユーザが嫌いな番組は、ミュートされる。これにより、ユーザが視聴したくない番組を誤って視聴してしまうことを防止する。
【００４４】
従って、ユーザの気分を害してしまうことを防止できる。また、チャンネルが選択されると同時にチャンネルを切り替えているため、視聴制限を行うことによってユーザの使い勝手を悪化させることもない。
【００４５】
ここで、急に番組がミュートされると、ユーザは、ディジタルテレビジョン１０１が故障しているのではないかと誤解するおそれがある。
そこで、制御部２は、選択されたチャンネルに単語が含まれている旨のメッセージを画像合成部６の画像メモリに記録し、そのメッセージを映像信号に合成するよう画像合成部６に指示する（S5）。そして、制御部２は本処理を終了する。この結果、画像合成部６は、選択されたチャンネルに単語が含まれている旨を表示するための合成データをD／A変換部８に出力する。そして、表示部３２は、選択されたチャンネルに単語が含まれている旨のOSD表示を行う。選択されたチャンネルに単語が含まれている旨のOSD表示は、例えば「選択されたチャンネルで放送されている番組に、あなたが登録した単語が含まれていたため、映像と音声をミュートしました。」である。
【００４６】
これにより、ユーザは、映像と音声がミュートされた理由を認識する。従って、ディジタルテレビジョン１０１が故障しているのではないかとユーザに誤解させてしまうことを防止できる。
【００４７】
また、本発明の実施形態は、以下の変形例を採用することができる。
【００４８】
図１の操作部１１に、S４で行ったミュートを解除するか否かの選択を受け付けるミュート解除選択キー（不図示）を設ける。
【００４９】
図５は、本発明の実施形態の変形例であるディジタルテレビジョンにおいてチャンネルが選択された時に制御部が行う動作を示すフローチャートである。この動作は、図４のS５をS１５に置き換え、S１５の後にS１6とS１７を追加した動作である。その他の処理（S１〜S４）については同じである。
【００５０】
制御部２は、選択されたチャンネルに単語が含まれている旨のメッセージとミュートを解除するか否かの選択を促すメッセージとを画像合成部６の画像メモリに記録し、それらのメッセージを映像信号に合成するよう画像合成部６に指示する（S１5）。ミュートを解除するか否かの選択を促すメッセージは、例えば「ミュートを解除するか否かをミュート解除選択キーで選択して下さい。」である。
【００５１】
そして、制御部２は、S４で行ったミュートの解除が選択入力されたか否かを判断する（S１６）。ここでは、ミュートを解除するか否かの選択を促すメッセージが表示部３２でOSD表示された状態で、ユーザがミュート解除選択キーでミュートを解除するか否かを選択できる状況となっている。例えば、過去に「大阪太郎」を自分の嫌いな出演者として登録したものの、今回は普通に視聴したいと考えた場合、ユーザはミュートを解除する。
これにより、ユーザは、ミュートを解除するか否かを、自分の使用方法に応じて選択できる。従って、ユーザの使い勝手が向上する。
【００５２】
S４で行ったミュートの解除否が選択入力されたと判断すると、制御部２は、本処理を終了する。即ち、S４でミュートされた番組はミュートされたままとなる。
【００５３】
一方、S４で行ったミュートの解除が選択入力されたと判断すると、制御部２は、D／A変換部８のミュート機能をオフし（S１７）、本処理を終了する。この結果、S４でミュートされた番組のミュートが解除される。
【図面の簡単な説明】
【００５４】
【図１】本発明の実施形態であるディジタルテレビジョンの主要な構成を示すブロック図
【図２】EPG画面の表示例を示す図
【図３】記憶部１５に記憶されている内容を示す図
【図４】本発明の実施形態であるディジタルテレビジョンにおいてチャンネルが選択された時に制御部が行う動作を示すフローチャート
【図５】本発明の実施形態の変形例であるディジタルテレビジョンにおいてチャンネルが選択された時に制御部が行う動作を示すフローチャート
【符号の説明】
【００５５】
２−制御部
３−チューナ
４−復調部
５−デコーダ
６−画像合成部
８−D／A変換部
１１−操作部
１４―EPGデータメモリ
１５−記憶部
３０−アンテナ
３１−スピーカ
３２−表示部
１０１−ディジタルテレビジョン
【図１】
2008099083.tif 000003
【図２】
2008099083.tif 000004
【図３】
2008099083.tif 000005
【図４】
2008099083.tif 000006
【図５】
2008099083.tif 000007